(57)【要約】【課題】  リニアモーターカーの仕組みを使って省エネを計るクローラー。【解決手段】  超伝導コイル蓄電機１、による動力を伝えるリアクションプレートで作った車８、で作った動力を伝える歯車３、とクローラーの帯の歯車３′とが軸を同じくして、クローラーの帯４．を回転運動させるリアクションプレートで電車を動かす仕組み９、を使用する事により具現する大型ブルドーザー２、小型ブルドーザー５、で省エネを計るクローラー。【選択図】    図１
0003141222.tif 000002
【実用新案登録請求の範囲】
【請求項１】
リアクションプレートをクローラーの帯に有し、動力を伝える歯車と回転運動させるリニアモーターカーの仕組みを具備したクローラー。
【請求項２】
超伝導コイル蓄電機を備えた事を特徴とする請求項１記載のクローラー。
【考案の詳細な説明】
【技術分野】
【０００１】
本考案は、従来のクローラーとしての帯のような鉄板を、車輪の下にしきながら進む仕組みのクローラーに関する。
【背景技術】
【０００２】
動力を伝える歯車とクローラーの帯により、荒れ地やぬかるみでも自由に走るクローラーです。
【考案の開示】
【考案が解決しようとする課題】
【０００３】
しかしながら、動力に電力を採用したクローラーとしては省エネが計れなかった。
【０００４】
本考案は上記実情に鑑みてなされたものであり、リニアモーターカーの仕組みを採用し省エネを計る事を目的としている。
【課題を解決するための手段】
【０００５】
上記目的を達成するため考案は、リアクションプレートをクローラーの帯に有し動力を伝える歯車と、回転運動させるリニアモーターカーの仕組みを有することであり、次の構成を含むことを特徴としている。
クローラーの帯にリアクションプレート又は推進コイルと動力を伝える歯車とでリニアモーターカーの仕組みを有するものである。
【考案の効果】
【０００６】
本考案により、リニアモーターカーの仕組みを有したリアクションプレートを有したクローラーの帯と動力を伝える歯車とで作る回転運動で省エネを計る事ができる。
【考案を実施するための最良の形態】
【０００７】
本考案の実施の形態の一例について、図面を参照しながら説明する。
クローラーは、図１に示すように、超伝導コイル蓄電機１、動力を伝える歯車３、クローラーの帯４、にリアクションプレートで電車を動かす仕組み９、のリアクションプレート８、を有し又はリニアモーターカーの仕組み６、の推進コイル５、を有した大型ブルドーザー２、又は小型ブルドーザー１１、である。
【図面の簡単な説明】
【０００８】
【図１】本考案のクローラーを示す図である。
【符号の説明】
【０００９】
１．      超伝導コイル蓄電機
２．      大型ブルドーザー
３．      動力を伝える歯車
・  クローラーの帯
・  推進コイル
・  リニアモーターカーの仕組み
・  レール
・  リアクションプレート
・  リアクションプレートで電車を動かす仕組み
１０．    電車（リニアモーターカーの地下鉄）
１１．    小型ブルドーザー
【図１】
0003141222.tif 000003
【手続補正書】
【提出日】平成19年5月22日(2007.5.22)
【手続補正１】
【補正対象書類名】明細書
【補正対象項目名】０００９
【補正方法】変更
【補正の内容】
【０００９】
１      超伝導コイル蓄電機
２      大型ブルドーザー
３      動力を伝える歯車
４      クローラーの帯
５      推進コイル
６      リニアモーターカーの仕組み
７      レール
８      リアクションプレート
９      リアクションプレートで電車を動かす仕組み
１０    電車（リニアモーターカーの地下鉄）
１１    小型ブルドーザー
【手続補正書】
【提出日】平成19年7月23日(2007.7.23)
【手続補正１】
【補正対象書類名】実用新案登録請求の範囲
【補正対象項目名】全文
【補正方法】変更
【補正の内容】
【実用新案登録請求の範囲】
【請求項１】
回転運動させる動力を伝えるためのリニアモーターカー地下鉄の仕組みによるリアクションプレートで作った車とその回転運動でできた動力を伝える歯車とクローラーの帯に伝える歯車と軸を同じくした構成とするクローラー。
【請求項２】
動力を伝えるコネクティングロッド、差動歯車を具備した事を特徴とする請求項１記載のクローラー。
【請求項３】
超伝導コイル蓄電機を備えた事を特徴とする請求項１記載のクローラー。
【請求項４】
超音波モーターを動力としてクローラーの帯に伝える歯車と軸を同じにして構成するクローラー。
【手続補正２】
【補正対象書類名】明細書
【補正対象項目名】０００５
【補正方法】変更
【補正の内容】
【０００５】
上記目的を達成するため考案は、クローラーの帯ドライブに動力を伝える歯車と、リアクションプレート車とで回転運動させるリニアモーターカーの仕組みを有することであり、次の構成を含むことを特徴としている。
リアクションプレートで作った車の動力を伝える歯車とクローラーの帯に軸と同じくした歯車に伝えるリニアモーターカーの仕組みを有するものである。
【手続補正３】
【補正対象書類名】明細書
【補正対象項目名】０００６
【補正方法】変更
【補正の内容】
【０００６】
本考案により、リニアモーターカーの仕組みを有したリアクションプレート車で作った動力を伝える歯車とクローラーの帯に軸を同じくして動力を伝える歯車とで作る回転運動で省エネを計る事ができる。
【手続補正４】
【補正対象書類名】明細書
【補正対象項目名】０００７
【補正方法】変更
【補正の内容】
【０００７】
本考案の実施の形態の一例について図面を参照しながら説明する。
クローラーは図１に示すように超伝導コイル蓄電機１、動力を伝える歯車３、３′クローラーの帯４、にリアクションプレート車で電車を動かす仕組み９、のリアクションプレート車８、を有した大型ブルドーザ２、又は小型ブルドーザ５、である。
【手続補正５】
【補正対象書類名】明細書
【補正対象項目名】０００９
【補正方法】変更
【補正の内容】
【０００９】
１．超伝導コイル蓄電機
２．大型ブルドーザー
３．動力を伝える歯車（リアクションプレート車の歯車３、クローラーの帯の歯車３′）
４．クローラーの帯
５．小型ブルドーザー
６．リアクションプレート（リアクションプレート６、リアクションプレートで作った車が８）
７．レール
８．リアクションプレート車（６、をリニアモータカーの車としたもの）
９．リアクションプレートで電車を動かす仕組み
１０．電車（リニアモーターカーの地下鉄）
【手続補正７】
【補正対象書類名】図面
【補正対象項目名】全図
【補正方法】変更
【補正の内容】
【図１】
0003141222.tif 000004
【手続補正書】
【提出日】平成19年9月3日(2007.9.3)
【手続補正１】
【補正対象書類名】実用新案登録請求の範囲
【補正対象項目名】全文
【補正方法】変更
【補正の内容】
【実用新案登録請求の範囲】
【請求項１】
地下鉄リニアモーターカーのリアクションプレートをその回転運動を動力車にできる円形車輪形状にして、その動力を伝える歯車とクローラーの帯に伝える歯車の軸を同じくして同時に回転できるクローラー。
【請求項２】
動力を伝えるコネクティングロッド、差動歯車を具備した事を特徴とする請求項１記載のクローラー。
【請求項３】
超伝導コイル蓄電機を備えた事を特徴とする請求項１記載のクローラー。
【請求項４】
超音波モータを動力として有する事を特徴とする請求項１記載のクローラー。